(57)【特許請求の範囲】
【請求項１】
多数の容器状のセルを持つとともに屈曲自在な苗トレイを、無端のチェーンにその走行方向と直交する向きに突き出したピンを前記セルどうしの間に差し込み当該セルに係合させて搬送する苗トレイ送り機構であって、
前記苗トレイの幅方向の両端のエッジ部を上下から拘束ガイドするトレイ押さえとガイドプレートとを備え、前記チェーンのピンが前記セルに漸近する位置に対応する前記トレイ押さえとガイドプレートに、前記苗トレイのセルどうしの間隔を拡げる拡開手段を備え、
前記拡開手段は、前記チェーンのピンが前記セルに漸近する位置に対応して前記トレイ押さえとガイドプレートのそれぞれに局所的に上に持ち上げた隆起部を形成することにより、前記苗トレイが前記隆起部を通過する際に前記セルどうしの間隔を拡開可能に構成したことを特徴とする野菜移植機における苗トレイ送り機構。
【請求項２】
前記トレイ押さえの隆起部に、前記苗トレイの通過による変形を阻止する補強金具を備えていることを特徴とする請求項１記載の野菜移植機における苗トレイ送り機構。
【発明の詳細な説明】
【０００１】
【発明の属する技術分野】
本発明は、野菜移植機に係り、特に苗搬送台に載置した苗トレイを速やかに搬送できるようにした苗トレイ送り機構に関する。
【０００２】
【従来の技術】
従来、移植機の一形態として、車輪やエンジンを備える走行部と、操作ハンドルを備える操作部と、苗トレイから苗を取り出して植え付けを行う移植部とを設けたものがあり、作業者が機体後端部に設けた操作ハンドルを操作して圃場を走行させながら、移植部によって苗を移植可能としている。
【０００３】
苗トレイは、通常複数行・複数列の行列状態に苗が収納されるポット苗収容部となるセルを設けたものであり、無端の搬送チェーンによって移植部まで間欠的に運ばれたときに苗が植え付け器に移し変えられる。搬送チェーンには送り方向に隣接するセルどうしの間に差し込まれるピンが設けられ、ピンをセルの外表面に係合させることにより苗トレイに送りを与えることができる。
【０００４】
【発明が解決しようとする課題】
ところが、苗トレイに設けるセルは苗数を増やすために高密度で形成されるので、セルどうしの間隔が狭い。このため、チェーンに連接したピンをセルどうしの間に差し込むときにセルがピンに干渉してしまい、ピンをセルどうしの間に挟み込む動作が不確実になる場合が多い。このようにピンをセルどうしの間に差し込むことができないと、苗トレイの送りに乱れが生じてしまい、搬送チェーンの間欠送りに連動する植え付け器との間の苗の受け渡しができなくなる。
【０００５】
このように、従来の苗送り機構ではセルどうしの間の間隔が狭いので搬送チェーンのピンを正確にセルどうしの間に差し込めなくなるという問題がある。
【０００６】
本発明は、苗トレイのセルどうしの間に搬送チェーンのピンを差し込むタイミングを合わせてセルどうしの間隔を広めることでピンを確実にセルどうしの間に差し込み可能な苗トレイ送り機構を提供することを目的とする。
【０００７】
【課題を解決するための手段】
本発明は、多数の容器状のセルを持つとともに屈曲自在な苗トレイを、無端のチェーンにその走行方向と直交する向きに突き出したピンを前記セルどうしの間に差し込み当該セルに係合させて搬送する苗トレイ送り機構であって、前記苗トレイの幅方向の両端のエッジ部を上下から拘束ガイドするトレイ押さえとガイドプレートとを備え、前記チェーンのピンが前記セルに漸近する位置に対応する前記トレイ押さえとガイドプレートに、前記苗トレイのセルどうしの間隔を拡げる拡開手段を備え、前記拡開手段は、前記チェーンのピンが前記セルに漸近する位置に対応して前記トレイ押さえとガイドプレートのそれぞれに局所的に上に持ち上げた隆起部を形成することにより、前記苗トレイが前記隆起部を通過する際に前記セルどうしの間隔を拡開可能に構成したことを特徴とする。
【０００８】
このような構成において、前記拡開手段は、前記チェーンのピンが前記セルに漸近する位置に対応して前記トレイ押さえとガイドプレートのそれぞれに局所的に上に持ち上げた隆起部を形成して、前記苗トレイが前記隆起部を通過する際に前記セルどうしの間隔を拡開可能に構成することができる。
【０００９】
また、前記トレイ押さえの隆起部に、前記苗トレイの通過による変形を阻止する補強金具を備えたものとすることができる。
【００１０】
【発明の実施の形態】
本発明では、無端のチェーンにその走行方向と直交する向きに突き出したピンを苗トレイのセルどうしの間に差し込むとともにチェーンの走行時にはピンをセルに係合させることにより、苗トレイに送りを与えることができる。苗トレイは屈曲自在であり、その幅方向の両端のエッジをトレイ押さえとガイドプレートにより拘束ガイドされる。トレイ押さえ及びガイドプレートの拘束ガイド面は水平又はチェーンの走行方向に向けて斜め下向きの姿勢を取ることができる。そして、トレイ押さえとガイドプレートのそれぞれに局所的に上に持ち上げた隆起部を拡開手段として備えることにより、苗トレイがこの隆起部を通過するときセルどうしの間隔が広くなるように変形する。したがって、この間隔が広くなったセルどうしの間にチェーンのピンを差し込むようにすれば、ピンがセルと干渉することなく速やかに差し込むことができ、確実なピンの差し込みが可能となる。
【００１１】
また、トレイ押さえの隆起部分を補強金具によって補強する構成とすれば、トレイ押さえの変形の発生を防止することができ、隆起部を確実に形成してチェーンのピンをより一層確実にセルどうしの間に挟み込むことができる。
【００１２】
【実施例】
以下、本発明の実施例を図面に基づいて説明する。
【００１３】
図１は本発明の苗送り機構を備えた野菜移植機の側面図である。
【００１４】
野菜移植機は機体1の前端側に一対の前輪２ａを備えるとともに後端側に一対の駆動輪２ｂを備え、この駆動輪２ｂにエンジン３からの動力を伝達することによって圃場Ａ上を走行可能としたものである。エンジン３はベルト３ａによって各駆動部に回転等の動力を伝達可能としたもので、駆動輪２ｂはベルト３ａに連接した伝達ケース２ｃ内の伝達手段によって回転駆動される。また、駆動輪２ｂの後方には畝Ｂ上を転動する鎮圧ローラ２ｄが配置されている。
【００１５】
エンジン３や後述する苗トレイ送り機構，苗植え付け機構等の操作は機体１の後部側に設けた操作部４によって操作される。この操作部４には、主クラッチレバー４ａ，植え付けクラッチレバー４ｂ，サイドクラッチレバー４ｃ，走行主変速レバー４ｄ，株間調節レバー４ｅ，ハンドル端部バー４ｆをそれぞれ備えている。
【００１６】
操作部４の前方には苗トレイ送り機構５が配置されている。この苗トレイ送り機構５はハウジング５ａに収納されエンジン３によって駆動されるチェーン（後述）によって苗トレイＣを周回動作させる構成としたものでハウジング５ａ内で苗トレイＣが上下反転するときに苗が機体１側に引き取られる。そして、この苗はハウジング５ａの近傍に設けた植え付け器６に収納されて畝に植え付けられる。すなわち、植え付け器６は先細り状とした一対の爪を開閉自在に構成したもので、エンジン３を駆動源とし苗供給機構部５と連動して上下方向にほぼ楕円軌道Ｌで昇降可能としたものである。そして、苗トレイ送り機構５から受け取った苗を根が下側になるように植え付け器６内で保持し、植え付け器６が畝Ｂに突入したときに爪が開いてポット苗を移植することができる。
【００１７】
植え付け器６の前方には、畝Ｂの上面に被せたマルチフィルム（図示せず）に植え付け孔を開けるためのマルチフィルム孔開装置７を配置する。図２はマルチフィルム孔開装置７部分を示す拡大図である。
【００１８】
図２において、マルチフィルム孔開装置７は、本体１側に固定された支持プレート７ａに上下方向に回動自在とした一対の上リンク７ｂ及び下リンク７ｃ、これらの上下のリンク７ｂ，７ｃに摺接してエンジン３により回転駆動されるカム７ｄとを駆動系として備えたものである。上下のリンク７ｂ，７ｃの右端側は支持プレート７ａの連接点とともに四節平行リンク機構を構成するようにブロック８ａに連接される。そして、ブロック８ａにはスリーブ８ｂを上下に昇降可能に外挿し、スリーブ８ｂの下端には加熱ヘッド９を取り付けている。加熱ヘッド９は機体１内のバッテリー（図示せず）に接続されたもので、所定の加熱量となるように通電量が制御される。
【００１９】
ブロック８ａは上下方向に多数の孔８ａ−１を開けたもので、スリーブ８ｂに外側から差し込むボルト（図示せず）をこれらの孔８ａ−１の任意のものに差し込むことによってスリーブ８ｂの高さ位置を調節することができる。このようにスリーブ８ｂの高さ位置を調節することで加熱ヘッド９の下降距離を設定することができる。また、加熱ヘッド９部分から孔８ａ−１部分が離れているので、高さ調節を手作業で行う場合でも手が熱くなることがなく、特に加熱ヘッド９の作動中でも熱さを感じることなく高さ調節が可能となる。
【００２０】
カム７ｄがエンジン３に連動して回転駆動されると、四節平行リンクを構成している上下のリンク７ｂ，７ｃによってブロック８ａはほぼ鉛直方向に下降し、図１において畝Ｂに敷設しているマルチフィルムに加熱ヘッド９を突き当てることができ、マルチフィルムに孔を開けることができる。
【００２１】
図３は加熱ヘッド９の詳細であって、（ａ）は下側から見た斜視図、（ｂ）側面図、（ｃ）は底面図である。
【００２２】
加熱ヘッド９は熱伝導性の高い金属を素材としたもので平面形状は円である。そして、機体１に装着したときに前面側を向く面にテーパ面９ａを形成している。すなわち、図２に示すように加熱ヘッド９の前面側には下から上に向けて前方に突き出る傾斜のテーパ面９ａが形成されている。このテーパ面９ａの曲率は加熱ヘッド９の上下方向において全て等しいものとしている。すなわち、加熱ヘッド９の上面のテーパ面の半径をＲとし、加熱ヘッド９の下面のテーパ面９ａの半径をｒとするとき、これらのＲとｒを等しい値に設定する。これにより。加熱ヘッド９のどの横断面でも半径Ｒ（ｒ）のテーパ面９ａとすることができる。
【００２３】
なお、以上の形状の加熱ヘッド９とする代わりに、図４に示すように円柱をその軸線と斜めに交差する面で切断した形状の加熱ヘッド１０としてもよい。このような加熱ヘッド１０の形状であれば、どの横断面でも円柱の半径に等しい外郭を形成することができる。
【００２４】
ポット苗を畝Ｂに移植して行く作業は、作業者が操作部４を操作することによりエンジン３を起動して駆動輪２ｂを回転させる。この駆動輪２ｂの回転により機体１は図１において左方向に移動し、同時に苗トレイ送り機構５及びマルチフィルム孔開装置７を駆動する。すなわち、機体１の移動によりまずマルチフィルム孔開装置７のブロック８ａとスリーブ８ｂが下降して加熱ヘッド９を畝Ｂ内に差し込む。このとき、畝Ｂの表面に敷設されたマルチフィルム（図示せず）に植え付け孔が開けられる。そして、この植え付け孔の位置に合わせて植え付け器６により苗が植え付け孔を通して畝Ｂに移植される。
【００２５】
ここで、マルチフィルム孔開装置７の加熱ヘッド９は、上下のリンク７ｂ，７ｃによる四節平行リンク機構によってほぼ鉛直方向に昇降動作する。そして、機体１は連続的に走行していくので、加熱ヘッド９はその昇降動作と機体１の走行の合成とした軌跡を描くようになる。図５はこの加熱ヘッド９の移動の軌跡を示すもので、ほぼ鉛直姿勢で畝Ｂ上のマルチフィルムＭを下に突っ切る。この突っ切りのときに加熱ヘッド９の熱により加熱ヘッド９の上端の円の大きさに等しい孔Ｍ−１がマルチフィルムＭに開けられる。そして、加熱ヘッド９が最下端から上昇するときには機体１の走行方向の動きが合成されるので、図示のように斜め左に傾斜した軌跡を描く。したがって、加熱ヘッド９が従来例のように円柱状であると、加熱ヘッド９が左側にマルチフィルムＭを引っ張るようになるため、長孔状となったりマルチフィルムＭを引きずり上げることになる。
【００２６】
これに対し、本実施例では、加熱ヘッド９の進行方向側を下側から上側に向けて進行方向側に突き出るようにテーパ面９ａを形成している。そして、このテーパ面９ａの傾斜を加熱ヘッド９が畝Ｂ及びマルチフィルムＭから抜けるときの軌跡の傾斜にほぼ一致させておけば、加熱ヘッド９は速やかにマルチフィルムＭから抜け出すことができる。すなわち、マルチフィルムＭに対して加熱ヘッド９が傾斜状態で抜けていくとき、テーパ面９ａの傾斜を加熱ヘッドの移動方向に合わせることで、マルチフィルムＭに開けた孔Ｍ−１を広げることなくしかも引きずり上げることなく操作することができる。したがって、マルチフィルムＭには図５に示すように加熱ヘッド９が入り込んだ分の大きさに相当する円形の孔Ｍ−１が形成され、苗の移植後のマルチフィルムＭの被覆状態を良好にすることができ凍結することなく苗の生育を促すことができる。
【００２７】
なお、図４に示した形状の加熱ヘッド１０の場合でもその軸線の傾きの度合いを加熱ヘッド１０の軌跡に一致するようにすることでほぼ円形の孔をマルチフィルムＭに開けることができる。すなわち、加熱ヘッド１０の姿勢を機体１の進行方向に対して上端側が前に突き出るようにすることで、加熱ヘッド９の場合のテーパ面９ａと同様の傾斜を持たせることができるので、マルチフィルムＭに開ける孔をほぼ円形に開けることができるとともに孔の開口縁を引きずり上げることがない。
【００２８】
また、加熱ヘッド９のテーパ面９ａの曲率は加熱ヘッド９の上下方向において全て等しいものとしているので、加熱ヘッド９の畝Ｂへの入り込み深さに関係なく一様な大きさ（図３で示した半径Ｒ）の孔をマルチフィルムＭに開けることができる。したがって、植え深さを多少変更したときでも、一様な大きさの孔がマルチフィルムＭに開けられるので、植深適応性及び畝適応性を高くすることができる。
【００２９】
図６は苗トレイ送り機構５の側面図、図７は苗トレイ送り機構５の要部を拡大して示す側面図、図８は要部の平面図である。
【００３０】
苗トレイ送り機構５はハウジング５ａの中に配置した一対のスプロケット１１ａ，１１ｂとこれに巻回されたチェーン１２を搬送機構として備えたものである。下端側のスプロケット１１ａはエンジン３による回転伝達系に連動して図６において反時計方向に回転駆動される。なお、スプロケット１１ａ，１１ｂ及びチェーン１２は機体１の幅方向の両端に一対ずつ配置されるものである。
【００３１】
苗トレイＣはゴムシートまたは弾性変形可能な合成樹脂シートとしたもので、図６に示すようにスプロケット１１ａ周りを巡るようにして搬送可能としたものである。そして、苗トレイＣは図８に示すように幅方向のエッジ部分を除いて多数のセルＣ−１を等間隔で配列したもので、セルＣ−１は培土を充填可能な容器状に形成されている。この苗トレイＣは機体１の後方に突き出した苗搬送台１３に搭載されている。苗搬送台１３にはサイドガイド１３ａが苗搬送台１３の幅方向の両端に設けられている。このサイドガイド１３ａは苗トレイＣの幅方向を案内する機能と苗の倒れを防止する機能を持つものである。すなわち、一対のサイドガイド１３ａの間に苗トレイＣを差し込むことによってこの苗トレイＣを案内することにより、苗継ぎを良好に行うことができる。また、サイドガイド１３ａの終端部の高さを搬送される苗トレイＣの上面よりも高くすることによって苗の葉が下に垂れ下がるのを防止することにより、トレイ押さえ（後述）の中に葉が入り込むことを防止することができる。
【００３２】
サイドガイド１３ａの下流側には苗トレイＣのエッジ部分の上下を拘束して案内するトレイ押さえ１４とガイドプレート１５が配置される。これらのトレイ押さえ１４及びガイドプレート１５も苗トレイ送り機構５の幅方向の両端に配置したものである。トレイ押さえ１４及びガイドプレート１５の上端の形状はほぼ直線状であるが、スプロケット１１ａ，１１ｂ間のほぼ中間位置に相当する部分の傾斜角度を緩くした隆起部１４ａ，１５ａをそれぞれ形成している。そして、トレイ押さえ１４の隆起部１４ａ部分にはトレイ押さえの変形を防止するための補強金具１４ｂが備えられている。
【００３３】
一方、チェーン１２は図６に示すような経路を周回するようにガイド部材（図示せず）により案内され、トレイ押さえ１４及びガイドプレート１５の隆起部１４ａ，１５ａ近傍ではこれらの隆起部１４ａ，１５ａに漸近するように走行する。また、チェーン１２には図８に示すように間隔を開けてピン１２ａが苗トレイＣのセルＣ−１の外壁に係合可能なように設けられている。
【００３４】
なお、図８の例ではピン１２ａはチェーン１２の要素の５個分の間隔を開けて配置されているが、チェーン１２の要素がセルＣ−１とほぼ同じであれば各要素にピン１２ａを取り付けたものとしてもよい。図６及び図７では後者のチェーン１２の各要素にピン１２ａを取り付けたものとして説明する。
【００３５】
以上の構成において、エンジン３による回転力伝達路によってスプロケット１１ａが図６において反時計方向に間欠的に回転駆動されると、チェーン１２のピン１２ａが苗トレイＣのセルＣ−１に係合して苗トレイＣが反時計方向に移動する。そして、停止している期間に、植え付け器６に対峙する部分に来たセルＣ−１から苗が取り出されて植え付け器６によって畝Ｂに植え付けられる。
【００３６】
ここで、チェーン１２が苗トレイＣに漸近してピン１２ａがセルＣ−１に係合する位置はトレイ押さえ１４及びガイドプレート１５の隆起部１４ａ，１５ａの部分である。そして、苗トレイＣのエッジ部分はこれらの隆起部１４ａ，１５ａに挟まれて搬送されるので、直線状に搬送されている部分に比べると、隆起部１４ａ，１５ａを通過するときに緩やかに屈曲して隣接し合うセルＣ−１どうしの間隔が広げられる。このため、チェーン１２のピン１２ａは隆起部１４ａ，１５ａを通過しているセルＣ−１の間に入りやすくなる。すなわち、苗トレイＣが直線状に移動しているときにはセルＣ−１どうしの間隔は一定であるが、隆起部１４ａ，１５ａに挟まれて苗トレイＣが強制的に少し屈曲させられることにより、セルＣ−１どうしの間隔を広げることができる。したがって、この間隔が広がっている期間にチェーン１２のピン１２ａをセルＣ−１どうしの間に速やかに差し込むことができる。このため、チェーン１２のピン１２ａがセルＣ−１の外壁に係合して送りを与えるとき、ピン１２ａを確実にセルＣ−１に係合するように設定できるので、苗トレイＣの確実な間欠搬送が行える。
【００３７】
このように、隆起部１４ａ，１５ａによる苗トレイＣの曲がり変形を利用することで、苗トレイＣを速やかに搬送させることができ、効率的な移植作業を行うことができる。
【００３８】
図９は先行する苗トレイＣとこれにる連なる後続の苗トレイＣの位置関係を示す要部の概略図である。
【００３９】
図示のように先行する苗トレイＣに対し後続の苗トレイＣの先端部のエッジは先行する苗トレイＣの後端部のエッジの下に潜り込んで継ぎ目を構成している。先行する苗トレイＣはガイドプレート１５に形成した下向き勾配の傾斜面１５ｂに倣って下降していくので、図１０に示すように先行する苗トレイＣの後端側のエッジは下向きに下がり、後続の苗トレイＣの先端のエッジが先行する苗トレイＣのエッジの上に重なる。以降は図１１に示すように先行する苗トレイＣの後端のエッジが下側であって後続の苗トレイＣの先端のエッジが上側に重なる関係として搬送される。
【００４０】
このような先行する苗トレイＣ及び後続の苗トレイＣどうしはそれぞれの後端及び先端のエッジを互いに重なり合わせるようにして搬送される。このため、エッジ同士が突き合わせられることなく搬送されるので、セルどうしの間の間隔が広がり過ぎることがなく、ピン１２ａによる係合搬送が確実に行われる。すなわち、苗トレイＣのエッジどうしが突き合わせられた状態で搬送されると、先行する苗トレイＣのセルＣ−１と後続の苗トレイＣのセルＣ−１の間隔が大きくなり過ぎる。これに対し、図９〜図１１に示したような形態で苗トレイＣを搬送させることでセルＣ−１どうしの間隔が広がることがなく、ピン１２ａによる確実な搬送が可能となる。
【００４１】
【発明の効果】
請求項１の発明では、ガイドプレートとトレイ押さえに形成した拡開手段により苗トレイのセルどうしの間隔を広げることができるので、チェーンのピンをセルどうしの間に確実に差し込むことができ、苗トレイを速やかに搬送することができる。
【００４２】
請求項２の発明では、ガイドプレートとトレイ押さえに形成した隆起部で苗トレイを緩やかに屈曲させることによりセルどうしの間隔を開けることができるので、チェーンのピンを確実にセルどうしの間に差し込むことができ、苗トレイを速やかに搬送させることができる。また、ガイドプレートとトレイ押さえに隆起部を形成するだけの簡単な構成で済むので保守点検も容易になる。
【００４３】
請求項３の発明では、トレイ押さえを補強金具によって補強しているので、トレイ押さえの変形の発生を防止することができ、隆起部を確実に形成してチェーンのピンをより一層確実にセルどうしの間に挟み込むことができる。
【図面の簡単な説明】
【図１】  本発明の苗トレイ送り機構を備えた野菜移植機の側面図。
【図２】  マルチフィルム孔開装置の要部を示す拡大図。
【図３】  加熱ヘッドの詳細であって、（ａ）は下面側から見た斜視図、（ｂ）は側面図、（ｃ）は底面図。
【図４】  軸線を斜めに形成した円柱状の加熱ヘッドの例を示す斜視図。
【図５】  加熱ヘッドのマルチフィルムに対する移動軌跡を示す図。
【図６】  苗トレイ送り機構の要部を示す側面図。
【図７】  苗トレイ送り機構の要部を拡大して示す側面図。
【図８】  チェーンのピンが苗トレイのセルの表面に係合している状態を示す要部の平面図。
【図９】  ガイドプレートとトレイ押さえの隆起部に先行する苗トレイの後端及び後続の苗トレイの先端が位置して継ぎ目を構成している部分の要部の側面図。
【図１０】  ガイドプレートの傾斜面に倣って先行する苗トレイの後端のエッジが後続の苗トレイの先端のエッジの下側に位置している状態を示す要部の側面図。
【図１１】  図１０に続く苗トレイの動きを示す要部の側面図。
【符号の説明】
１  機体
２ａ  前輪
２ｂ  駆動輪
２ｃ  伝達ケース
２ｄ  鎮圧ローラ
３  エンジン
３ａ  ベルト
４  操作部
４ａ  主クラッチレバー
４ｂ  植え付けクラッチレバー
４ｃ  サイドクラッチレバー
４ｄ  走行主変速レバー
４ｅ  株間調節レバー
４ｆ  ハンドル端部バー
５  苗トレイ送り機構
５ａ  ハウジング
６  植え付け器
７  マルチフィルム孔開装置
７ａ  支持プレート
７ｂ  上リンク
７ｃ  下リンク
７ｄ  カム
８ａ  ブロック
８ａ−１  孔
８ｂ  スリーブ
９  加熱ヘッド
９ａ  テーパ面
１０  加熱ヘッド
１１ａ，１１ｂ  スプロケット
１２  チェーン
１２ａ  ピン
１３  苗搬送台
１３ａ  サイドガイド
１４  トレイ押さえ
１４ａ  隆起部
１４ｂ  補強金具
１５  ガイドプレート
１５ａ  隆起部
１５ｂ  傾斜面
Ａ  圃場
Ｂ  畝
Ｃ  苗トレイ
Ｃ−１  セル
Ｌ  楕円軌道
Ｍ  マルチフィルム
Ｍ−１  孔
【図１】
0004620287.tif 000002
【図２】
0004620287.tif 000003
【図３】
0004620287.tif 000004
【図４】
0004620287.tif 000005
【図５】
0004620287.tif 000006
【図６】
0004620287.tif 000007
【図７】
0004620287.tif 000008
【図８】
0004620287.tif 000009
【図９】
0004620287.tif 000010
【図１０】
0004620287.tif 000011
【図１１】
0004620287.tif 000012